(57)【特許請求の範囲】
【請求項１】
論理チャンネルを選択する操作手段と、
テレビ放送信号を受信し、選択されている論理チャンネルのテレビ放送信号を抽出し、抽出したテレビ放送信号をディジタルデータであるトランスポートストリームに復調し、該トランスポートストリームから選択されている論理チャンネルの映像データと音声データとを取得する映像／音声データ取得手段と、
前記テレビ放送信号を受信し、これを復調して制御データを取得する制御データ取得手段と、
前記制御データ取得手段が取得した前記制御データに基づき、論理チャンネルと該論理チャンネルで放送される放送番組を一意に特定する特定情報とが対応付けて記憶され、テレビ放送信号受信時にこれらが更新記憶されるチャンネルテーブルと、を備えたディジタル放送受信装置において、
前記チャンネルテーブルからユーザが予め指定した論理チャンネルと該論理チャンネルに対応する特定情報とが抽出され、両者が対応付けて記憶される指定チャンネルテーブルと、
前記指定チャンネルテーブルに記憶されている論理チャンネルが前記操作手段で選択されると、該選択された論理チャンネルが放送局側で変更されているか否かを、該選択された論理チャンネルに対応する特定情報を検索キーとして、前記チャンネルテーブル及び前記指定チャンネルテーブルを参照することにより判定し、該選択された論理チャンネルに放送局側での変更がある場合には、該選択された論理チャンネルの代わりに変更された論理チャンネルを選択することを前記映像／音声データ取得手段に指示するチャンネル選択手段と、を備え、
所望のOSDをテレビ受像機に表示させるOSD表示手段を備え、
前記チャンネル選択手段は、前記選択された論理チャンネルに放送局側での変更がある場合、該選択された論理チャンネルに変更があった旨を前記OSD表示手段にOSD表示させ、
前記指定チャンネルテーブルは、前記選択された論理チャンネルに放送局側での変更がある場合、該選択された論理チャンネルの代わりに前記変更された論理チャンネルを、ユーザが予め指定した論理チャンネルとして更新するディジタル放送受信装置。
【請求項２】
論理チャンネルを選択する操作手段と、
テレビ放送信号を受信し、選択されている論理チャンネルのテレビ放送信号を抽出し、抽出したテレビ放送信号をディジタルデータであるトランスポートストリームに復調し、該トランスポートストリームから選択されている論理チャンネルの映像データと音声データとを取得する映像／音声データ取得手段と、
前記テレビ放送信号を受信し、これを復調して制御データを取得する制御データ取得手段と、
前記制御データ取得手段が取得した前記制御データに基づき、論理チャンネルと該論理チャンネルで放送される放送番組を一意に特定する特定情報とが対応付けて記憶され、テレビ放送信号受信時にこれらが更新記憶されるチャンネルテーブルと、を備えたディジタル放送受信装置において、
前記チャンネルテーブルからユーザが予め指定した論理チャンネルと該論理チャンネルに対応する特定情報とが抽出され、両者が対応付けて記憶される指定チャンネルテーブルと、
前記指定チャンネルテーブルに記憶されている論理チャンネルが前記操作手段で選択されると、該選択された論理チャンネルが放送局側で変更されているか否かを、該選択された論理チャンネルに対応する特定情報を検索キーとして、前記チャンネルテーブル及び前記指定チャンネルテーブルを参照することにより判定し、該選択された論理チャンネルに放送局側での変更がある場合には、該選択された論理チャンネルの代わりに変更された論理チャンネルを選択することを前記映像／音声データ取得手段に指示するチャンネル選択手段と、を備えたディジタル放送受信装置。
【請求項３】
所望のOSDをテレビ受像機に表示させるOSD表示手段を備え、
前記チャンネル選択手段は、前記選択された論理チャンネルに放送局側での変更がある場合、該選択された論理チャンネルに変更があった旨を前記OSD表示手段にOSD表示させる請求項２記載のディジタル放送受信装置。
【請求項４】
前記指定チャンネルテーブルは、前記選択された論理チャンネルに放送局側での変更がある場合、該選択された論理チャンネルの代わりに前記変更された論理チャンネルを、ユーザが予め指定した論理チャンネルとして更新する請求項２または３に記載のディジタル放送受信装置。
【発明の詳細な説明】
【技術分野】
【０００１】
本発明は、予め設定している物理チャンネルと、放送番組（論理チャンネル）との関係を示す、いわゆる、チャンネルテーブルを参照して対応する物理チャンネルを見つける、ＣＡＴＶディジタル放送受信装置などのディジタル放送受信装置に関するものである。
【背景技術】
【０００２】
従来、TVでは、テレビ放送信号を伝送し、ＴＶ局から各家庭に伝送された放送番組をユーザが自由に選択して視聴できるようになっている。さらに、近年、ディジタル圧縮符号化技術を利用して、映像信号等の圧縮、多重化伝送等を行うことにより、限られた周波数帯で多数の番組を効率的に伝送できるディジタル放送が注目されている。
【０００３】
以下、ディジタル放送を代表して、ＣＡＴＶのディジタル放送を対象に説明する。ＣＡＴＶのディジタル放送においては、実際のＣＡＴＶの周波数帯域に割り当てられたチャンネル（物理チャンネル）１チャンネル毎に、例えば、日本では、最大４つの放送チャンネル（論理チャンネル）を伝送しているため、物理チャンネル番号と、論理チャンネル番号とは一致しない。例えば、日本では、９３〜７６７MHz のＣＡＴＶの周波数帯域の中に、周波数帯域幅が６MHz のチャンネル（物理チャンネル）を合計１１３設けるようにしている。そして、各チャンネル当たり番組数は最大で、例えば、４つの番組とし、全体で、最大４５２の番組を伝送できるようにしている。従って、チャンネル（物理チャンネル）と、放送番組（論理チャンネル）とは、１対１に対応しないため、チャンネルを決めても放送番組が決まる十分条件とはならない。
【０００４】
実際の利用方法においては、ユーザがＣＡＴＶの番組表を見て、希望の放送番組を伝送している論理チャンネルを調べ、その論理チャンネルをリモコン等でＣＡＴＶ（Cable Television）ディジタル放送受信装置に指示する。すると、ＣＡＴＶディジタル放送受信装置は、予め設定している物理チャンネルと、放送番組（論理チャンネル）との関係を示す、いわゆる、チャンネルテーブルを参照して対応する物理チャンネルを見つける。そして、ＣＡＴＶディジタル放送受信装置は、見つけた該物理チャンネルを基にチューナを制御して選択し、ディジタル復調し、指示された放送番組を抽出して、映像や音声を復元して表示する。つまり、ＣＡＴＶディジタル放送受信装置は、チャンネルテーブルを参照する動作が不可欠である。
【０００５】
このチャンネルテーブルに記述されているデータ（チャンネルテーブルデータ）は、随時ＣＡＴＶ局から伝送されてくるものであり、物理チャンネルと論理チャンネルとの関係の他、該論理チャンネルと該論理チャンネルで放送される番組を一意に特定する特定情報などのデータが含まれる。特定情報は、例えばSource  IDである。
【０００６】
また、上記ＣＡＴＶディジタル放送受信装置においては、ユーザが任意に指定した論理チャンネルを登録することができる。例えば、ユーザのお気に入りの放送番組が放送される論理チャンネルをお気に入りチャンネルとして登録しておくことにより、ユーザは、該放送番組を伝送している論理チャンネルを逐一調べずとも、すぐさま該お気に入りチャンネルをリモコン等で選択し、該放送番組を視聴することができる。
【０００７】
一方、特許文献１に記載されたようなディジタル放送受信装置が提案されている。
【０００８】
このディジタル放送受信装置は、装置本体設置時において設置する地域のＣＡＴＶシステム用のチャンネルテーブルを設定するテーブル設定手段と、装置本体各部を制御する制御手段と、を備える。
【０００９】
上記制御手段は、前記テーブル設定手段のチャンネルテーブルの初期設定が未設定であることを検出すると、どの地域のCATVシステムにおいても共通である、チャンネルテーブル設定データを伝送するように予め定めた特定チャンネルの放送信号を受信させ、該放送信号を復調して制御データを取り出させ、該データに基づいて前記テーブル設定手段にチャンネルテーブルを設定する。
【特許文献１】特開２０００−１１５７４２公報
【発明の開示】
【発明が解決しようとする課題】
【００１０】
しかしながら、ＣＡＴＶ局の編成変更等により、放送番組の論理チャンネル番号は変更されることがしばしば起こる。そのため、上記ＣＡＴＶディジタル放送受信装置では、該お気に入りチャンネルで放送されていた放送番組の論理チャンネル番号が変更されてしまった場合、ユーザがいくらお気に入りチャンネル（変更前の論理チャンネル）をリモコン等で選択しても、該放送番組を視聴することができなかった。
【００１１】
そして、該放送番組を視聴するために、ユーザは、該放送番組の変更後の論理チャンネル番号をもう一度調べ直さなければならず、このことは、ユーザに大変な煩わしさを与えていた。
【００１２】
一方、特許文献１は、装置本体の設置時において、自動的にチャンネルテーブルを設定する発明であり、放送番組の論理チャンネル番号が変更されることを考慮していない。従って、上記と同様、ユーザに大変な煩わしさを与える。
【００１３】
本発明はこのような従来の課題を解決しようとするものであり、ユーザが指定した論理チャンネルで放送されていた放送番組の論理チャンネル番号が変更されても、該放送番組が放送されている変更後の論理チャンネル番号を自動的に選択させるようにしたディジタル放送受信装置を提供することを目的とする。
【課題を解決するための手段】
【００１４】
本発明のディジタル放送受信装置は、前記課題を解決するために以下の構成を備えている。
（１）論理チャンネルを選択する操作手段と、
テレビ放送信号を受信し、選択されている論理チャンネルのテレビ放送信号を抽出し、抽出したテレビ放送信号をディジタルデータであるトランスポートストリームに復調し、該トランスポートストリームから選択されている論理チャンネルの映像データと音声データとを取得する映像／音声データ取得手段と、
前記テレビ放送信号を受信し、これを復調して制御データを取得する制御データ取得手段と、
前記制御データ取得手段が取得した前記制御データに基づき、論理チャンネルと該論理チャンネルで放送される放送番組を一意に特定する特定情報とが対応付けて記憶され、テレビ放送信号受信時にこれらが更新記憶されるチャンネルテーブルと、を備えたディジタル放送受信装置において、
前記チャンネルテーブルからユーザが予め指定した論理チャンネルと該論理チャンネルに対応する特定情報とが抽出され、両者が対応付けて記憶される指定チャンネルテーブルと、
前記指定チャンネルテーブルに記憶されている論理チャンネルが前記操作手段で選択されると、該選択された論理チャンネルが放送局側で変更されているか否かを、該選択された論理チャンネルに対応する特定情報を検索キーとして、前記チャンネルテーブル及び前記指定チャンネルテーブルを参照することにより判定し、該選択された論理チャンネルに放送局側での変更がある場合には、該選択された論理チャンネルの代わりに変更された論理チャンネルを選択することを前記映像／音声データ取得手段に指示するチャンネル選択手段と、を備えた。
【００１５】
この構成において、ディジタル放送受信装置は、例えばCATVディジタル放送受信装置、又はディジタルTV受像機である。制御データは、例えばPSI（Program  Specification  Information）／SI（Service  Information）である。特定情報は、例えばSource  IDである。また、ユーザが予め指定したチャンネルとは、例えば、ユーザのお気に入りの放送番組が放送される論理チャンネルをお気に入りとしてユーザが登録したチャンネル（お気に入りチャンネル）である。
【００１６】
上記ディジタル放送受信装置においては、ユーザが任意に指定した論理チャンネルを登録することができる。例えば、ユーザのお気に入りの放送番組が放送される論理チャンネルをお気に入りチャンネルとして登録すると、上記指定チャンネルテーブルは、チャンネルテーブルから該お気に入りチャンネルと該チャンネルに対応する特定情報とを抽出して、記憶する。
【００１７】
そして、ユーザが上記お気に入りチャンネルをリモコン等で選択すると、つまり指定チャンネルテーブルに記憶されているチャンネルが操作手段で選択されると、チャンネル選択手段は、該選択されたチャンネルが放送局側で変更されているか否かを、該選択されたチャンネルに対応する特定情報を検索キーとして、上記チャンネルテーブル及び上記指定チャンネルテーブルを参照することにより判定する。
【００１８】
上記選択されたチャンネルに放送局側での変更がない場合には、チャンネル選択手段は、該選択されたチャンネルを選択することを映像／音声データ取得手段に指示する。このように、ユーザは、放送番組を伝送している論理チャンネルを逐一調べずとも、すぐさま該お気に入りチャンネルをリモコン等で選択し、該放送番組を視聴することができる。
【００１９】
一方、上記選択されたチャンネルに放送局側での変更がある場合には、チャンネル選択手段は、該選択されたチャンネルの代わりに変更されたチャンネルを選択することを映像／音声データ取得手段に指示する。
【００２０】
以上より、ユーザが指定した論理チャンネルで放送されていた放送番組の論理チャンネル番号が変更されても、該放送番組が放送されている変更後の論理チャンネル番号を自動的に選択させることができる。従って、該放送番組の変更後の論理チャンネル番号をもう一度調べ直させるという煩わしい思いをさせることがなくなる。
（２）所望のOSDをテレビ受像機に表示させるOSD表示手段を備え、
前記チャンネル選択手段は、前記選択された論理チャンネルに放送局側での変更がある場合、該選択された論理チャンネルに変更があった旨を前記OSD表示手段にOSD表示させる。
【００２１】
この構成において、選択されたチャンネルに変更があった旨は、例えば「お気に入りチャンネルとして登録していた放送番組のチャンネル番号に変更がありました」「お気に入りチャンネルとして登録していた放送番組のチャンネル番号が１０１CHから１０３CHに変更されました」である。
【００２２】
チャンネル選択手段が、選択されたチャンネルに変更があった旨を前記OSD表示手段にOSD表示させることにより、ユーザに該旨を報知する。
【００２３】
以上により、ユーザは、自己が指定した論理チャンネルのチャンネル番号に変更があったことを知ることができる。
（３）前記指定チャンネルテーブルは、前記選択された論理チャンネルに放送局側での変更がある場合、該選択された論理チャンネルの代わりに前記変更された論理チャンネルを、ユーザが予め指定した論理チャンネルとして更新する。
【００２４】
この構成では、上記指定チャンネルテーブルは、変更されたチャンネルと該チャンネルの特定情報とを対応付けて記憶することになる。そのため、該変更されたチャンネルが例えば、新たなお気に入りチャンネルということになるので、今度は、該変更されたチャンネルが上記（１）において判定されることになる。
【００２５】
また、指定チャンネルテーブルが、変更前のチャンネルと変更されたチャンネルとを対応付けて記憶しておくことで、どのチャンネルからどのチャンネルに変更されたかということを保持しておくことができる。
【発明の効果】
【００２６】
この発明によれば、ユーザが指定した論理チャンネルで放送されていた放送番組の論理チャンネル番号が変更されても、該放送番組が放送されている変更後の論理チャンネル番号を自動的に選択させることができる。
【発明を実施するための最良の形態】
【００２７】
以下、本発明の実施形態であるCATVディジタル放送受信装置について説明する。
【００２８】
図１は、本発明の実施形態であるCATVディジタル放送受信装置の主要な構成を示すブロック図である。
【００２９】
CATVディジタル放送受信装置１は、装置本体１各部を制御する制御部２と、テレビ放送信号を受信するチューナ部３と、受信したテレビ放送信号をディジタルデータに復調する第一復調部４と、復調したディジタルデータから映像データと音声データとを分離し、両データを伸長するデコーダ５と、該ディジタルデータを一時的に保持するバッファメモリ９と、所望のＯＳＤを映像データの信号に重畳するOSD処理部６と、所望のＯＳＤを記憶するOSD画像メモリ７と、映像データと音声データとの信号をアナログの信号に変換するD／A変換部８と、操作手段である操作部１１と、テレビ放送信号を周波数分離するフィルタ部１２と、フィルタ部１２の出力をディジタルデータに復調し、誤り訂正を行って制御データを取得する第二復調部１３と、取得した制御データからチャンネルテーブルデータを復元するテーブルデータ取得部１４と、復元されたチャンネルテーブルデータを設定しておく記憶部１５と、を備える。
【００３０】
制御部２は、例えばマイクロコンピュータで構成される。
【００３１】
操作部１１に対し、電源のON／OFF、チャンネル（以下、「チャンネル」と単に述べるときは、「論理チャンネル」のことを指す。）の切り替え、音量の調整等の命令（コマンド）が入力されると、操作部１１は、該命令を制御部２に伝送する。操作部１１は、リモコン装置を含む。
【００３２】
チューナ部３は、CATV局から伝送されてきたテレビ放送信号から、制御部２により選択されているチャンネルのテレビ放送信号を抽出し、出力する。
【００３３】
第一復調部４は、チューナ部３から出力されたテレビ放送信号をディジタルデータであるトランスポートストリームに復調し、出力する。このトランスポートストリームには、複数の番組が多重化されている。
【００３４】
デコーダ５は、第一復調部４から出力されたトランスポートストリームから制御部２により指定された放送番組の映像データ及び音声データなどが格納されているパケットを分離し、分離したパケットに格納されているデータをバッファメモリ９に記憶させるとともに、適宜読み出す。そして、読み出したデータから映像データと音声データとを分離し、両データを伸長し、出力する。チューナ部３から出力されるテレビ放送信号は、例えばMPEG２で圧縮された信号である。
【００３５】
デコーダ５から出力された映像データの信号は、OSD処理部６を介して、D／A変換部８に入力される。
【００３６】
OSD処理部６は、制御部２から与えられる制御信号に基づいて、映像データの信号に、OSD画像メモリ７が記憶している文字又は図形を重畳する。
【００３７】
D／A変換部８は、デコーダ５が出力した映像データの信号をアナログの映像信号に変換し、外部のテレビジョン１００に出力する。
【００３８】
また、D／A変換部８は、デコーダ５が出力した音声データの信号をアナログの音声信号に変換し、外部のテレビジョン１００に出力する。
【００３９】
なお、この実施形態ではD／A変換部８を設けているが、外部にディジタル信号対応のテレビジョンを接続する場合は、D／A変換部８を設ける必要はない。
【００４０】
一方、フィルタ部１２は、CATV局から伝送されてきたテレビ放送信号を周波数分離し、出力する。
【００４１】
第二復調部１３は、フィルタ部１２の出力をディジタルデータに復調し、誤り訂正を行って制御データを取得し、出力する。該制御データとは、PSI（Program  Specification  Information）／SI（Service  Information）である。
【００４２】
テーブルデータ取得部１４は、第二復調部１３が取得した上記制御データからチャンネルテーブルデータを取得し、出力する。このチャンネルテーブルデータは、随時ＣＡＴＶ局から伝送されてくる制御データに含まれるデータであり、全論理チャンネル分の情報が記述されているデータである。また、このチャンネルテーブルデータは、論理チャンネルと復調周波数との関係の他、該論理チャンネルと該論理チャンネルで放送される番組を一意に特定するSource  IDなどが含まれる。
【００４３】
記憶部１５は、例えばEEPROMで構成される。
【００４４】
記憶部１５は、２つのパーティションに区切られており、VCT（virtual  channel  table）２１及びお気に入りチャンネルテーブル２２から構成される。VCT２１には、テーブルデータ取得部１４が出力したチャンネルテーブルデータが設定される。
【００４５】
なお、VCTには、汎用のSVCT（Short  Form   virtual  channel  table）と、拡張用のLVCT（Long  Form   virtual  channel  table）との２つの形式があるが、この実施形態では、前者の形式を採用し、さらに、主要な部分以外を省略して説明している。
【００４６】
図２は、VCT２１及びお気に入りチャンネルテーブル２２に記憶されている内容を示す図である。図２の（A）は、VCT２１に記憶されている内容を示す図であり、（B）は、選択されたチャンネルが更新される前におけるお気に入りチャンネルテーブル２２に記憶されている内容を示す図であり、（C）は、選択されたチャンネルが更新された後におけるお気に入りチャンネルテーブル２２に記憶されている内容を示す図である。
【００４７】
VCT２１には、図２の（A）に示すように、チャンネルテーブルデータ（制御データ）に基づいて、論理チャンネルと該チャンネルのSource  IDとが対応付けて記憶されている。VCT２１には、論理チャンネルと復調周波数との関係も記憶されている。
【００４８】
ＣＡＴＶディジタル放送受信装置１においては、ユーザのお気に入りの放送番組が放送される論理チャンネルをお気に入りチャンネルとして登録することができる。
【００４９】
登録すると、お気に入りチャンネルテーブル２２は、VCT２１からお気に入りチャンネルと該チャンネルのSource  ID及び復調周波数とを抽出して、図２の（B）に示すように、これらを対応付けて記憶する。該図中「元のCH」及び図２の（C）については、後述の図３のｓ３において説明する。
【００５０】
ここで、VCT２１が、本発明の「チャンネルテーブル」に相当する。お気に入りチャンネルテーブル２２が本発明の「指定チャンネルテーブル」に相当する。記憶部１５が、本発明の「チャンネルテーブル」及び「指定チャンネルテーブル」に相当する。チューナ部３、第一復調部４、デコーダ５及びバッファメモリ９が本発明の「映像／音声データ取得手段」である。OSD処理部６及びOSD画像メモリ７が、本発明の「OSD表示手段」に相当する。フィルタ部１２及び第二復調部１３が、本発明の「制御データ取得手段」に相当する。制御部２が、本発明の「チャンネル選択手段」に相当する。
【００５１】
図３は、チャンネルテーブル本発明の実施形態であるCATVディジタル放送受信装置において制御部が行う動作を示すフローチャートである。この動作は、ユーザがお気に入りチャンネルをリモコン等で選択した時の動作である。
【００５２】
ユーザがお気に入りチャンネルをリモコン等で選択すると、つまりお気に入りチャンネルテーブル２２に記憶されているお気に入りチャンネルが操作部１１で選択されると（図２（B）参照）、制御部２は、該選択されたチャンネルが放送局側で変更されているか否かを判定する（ｓ１）。
【００５３】
この判定は、該選択されたチャンネルに対応するSource  IDを検索キーとして、VCT２１及びお気に入りチャンネルテーブル２２を参照することにより判定する。
【００５４】
例えば、選択されたチャンネルが１０１であれば、まず、該チャンネルに対応するSource  IDをお気に入りチャンネルテーブル２２（図２（B）参照）から抽出する。次に、抽出されたSource  ID（０ｘ００２）と同じSource  IDを持つチャンネルをVCT２１（図２（A）参照）から抽出する。同じSource  ID（０ｘ００２）を持つチャンネルは、１０１であり両チャンネルは一致するため、選択されたチャンネルが放送局側で変更されていないと判定できる。
【００５５】
逆に、選択されたチャンネルが１００であれば、まず、該チャンネルに対応するSource  IDをお気に入りチャンネルテーブル２２（図２（B）参照）から抽出する。次に、抽出されたSource  ID（０ｘ００４）と同じSource  IDを持つチャンネルをVCT２１（図２（A）参照）から抽出する。同じSource  ID（０ｘ００４）を持つチャンネルは、１０３であり両チャンネルは一致していないため、選択されたチャンネルが放送局側で変更されていると判定できる。
【００５６】
ｓ１において、選択されたチャンネルに放送局側での変更があると判定すれば、制御部２は、該選択されたチャンネルの代わりに変更されたチャンネルを選択することをチューナ部３及びデコーダ５に指示する（ｓ２）。詳述すると、制御部２は、変更された論理チャンネルに対応する復調周波数をチューナ部３や第一復調部４に指定し、変更された論理チャンネルをデコーダ５に指定する。
【００５７】
以上より、ユーザが指定した論理チャンネルで放送されていた放送番組の論理チャンネル番号が変更されても、該放送番組が放送されている変更後の論理チャンネル番号を自動的に選択させることができる。従って、該放送番組の変更後の論理チャンネル番号をもう一度調べ直させるという煩わしい思いをさせることがなくなる。
【００５８】
次に、制御部２は、選択されたチャンネルの代わりに変更されたチャンネルを、お気に入りチャンネルテーブル２２に更新記録する（ｓ３）。
【００５９】
例えば、選択されたチャンネルが１００であれば、該チャンネルは上述のように放送局側での変更があるので、お気に入りチャンネルテーブル２２（図２（B）参照）は、選択されたチャンネル１００の代わりに変更されたチャンネル１０３を、お気に入りチャンネルとして更新記憶する。すると、お気に入りチャンネルテーブル２２は、図２（C）に示すように、お気に入りチャンネルが１０３となり、該お気に入りチャンネルは、該チャンネルのSource  ID（０ｘ００４）と対応付けて記憶されることになる。
【００６０】
そのため、次にこのお気に入りチャンネルをユーザがリモコン等で選択した場合は、該お気に入りチャンネルである１０３が上記ｓ１において判定されることになる。
【００６１】
また、お気に入りチャンネルテーブル２２が、図２（C）に示すように、変更前のチャンネルである１００と変更されたチャンネルである１０３とを対応付けて記憶しておくことで、どのチャンネルからどのチャンネルに変更されたかということを保持しておくことができる。
【００６２】
次に、制御部２は、選択されたチャンネルに変更があった旨をOSD処理部にOSD表示させ（ｓ４）、本処理を終了する。この指示を受け、OSD処理部は、該旨のOSDを映像データの信号に重畳し、テレビジョン１００にOSD表示し、ユーザに該旨を報知する。
【００６３】
選択されたチャンネルに変更があった旨は、例えば「お気に入りチャンネルとして登録していた放送番組のチャンネル番号に変更がありました」「お気に入りチャンネルとして登録していた放送番組のチャンネル番号が１０１CHから１０３CHに変更されました」である。
【００６４】
上記「お気に入りチャンネルとして登録していた放送番組のチャンネル番号が１０１CHから１０３CHに変更されました」は、お気に入りチャンネルテーブル２２が、図２（C）に示すように、変更前のチャンネルである１００と変更されたチャンネルである１０３とを対応付けて記憶しているため、報知可能となる。
【００６５】
以上により、ユーザは、自己が指定した論理チャンネルのチャンネル番号に変更があったことを知ることができる。
【００６６】
一方、ｓ１において、選択されたチャンネルに放送局側での変更がない場合には、制御部２は、該選択されたチャンネルを選択することをチューナ部３及びデコーダ５に指示し（ｓ５）、本処理を終了する。詳述すると、制御部２は、選択された論理チャンネルに対応する復調周波数をチューナ部３や第一復調部４に指定し、選択された論理チャンネルをデコーダ５に指定する。
【００６７】
以上のように、ユーザは、放送番組を伝送している論理チャンネルを逐一調べずとも、すぐさま該お気に入りチャンネルをリモコン等で選択し、該放送番組を視聴することができる。
【図面の簡単な説明】
【００６８】
【図１】本発明の実施形態であるCATVディジタル放送受信装置の主要な構成を示すブロック図
【図２】VCT２１及びお気に入りチャンネルテーブル２２に記憶されている内容を示す図
【図３】本発明の実施形態であるCATVディジタル放送受信装置において制御部が行う動作を示すフローチャート
【符号の説明】
【００６９】
１−CATVディジタル放送受信装置
２−制御部
３−チューナ部
４−第一復調部
５−デコーダ
６−OSD処理部
７−OSD画像メモリ
８−D／A変換部
９−バッファメモリ
１１−操作部
１２−フィルタ部
１３−第二復調部
１４−テーブルデータ取得部
１５−記憶部
２１−VCT
２２−お気に入りチャンネルテーブル
１００−テレビジョン
【図１】
0004661398.tif 000002
【図２】
0004661398.tif 000003
【図３】
0004661398.tif 000004